(57)【要約】【課題】放送されているコンテンツの視聴中にユーザの切り換えを要する処理を実行する場合に、コンテンツの視聴の中断によるユーザの不満を減少させる。【解決手段】切換検出手段１ａは、使用するユーザの切り換えを検出する。受信手段１ｅは、コンテンツを受信する。制御手段１ｂは、受信手段１ｅによって受信されているコンテンツが出力手段１ｄにより出力されている場合であって、切換検出手段１ａによるユーザの切り換えが検出されたときには、コンテンツの内容を記録手段１ｃに記録させる。記録手段１ｃは、受信手段１ｅによって受信されているコンテンツの内容を記録する。出力手段１ｄは、コンテンツを出力する。【選択図】図１
2010233177.tif 000002
【特許請求の範囲】
【請求項１】
使用するユーザの切り換えを検出する切換検出手段と、
コンテンツを受信する受信手段と、
記録手段と、
出力手段と、
制御手段とを有し、
前記制御手段は、前記受信手段によって受信されている前記コンテンツが前記出力手段により出力されている場合であって、前記切換検出手段による前記ユーザの切り換えが検出されたときには、前記コンテンツの内容を示すデータを前記記録手段に記録させることを特徴とする情報処理装置。
【請求項２】
前記制御手段は、前記切換検出手段による前記ユーザの切り換えに基づく前記記録手段によって前記コンテンツの内容を示す前記データが記録されている場合であって、前記切換検出手段により前記コンテンツを視聴していた前記ユーザに切り換えられる前記ユーザの切り換えが検出されたときには、前記記録手段によって記録された前記コンテンツの内容を示す前記データを再生手段に再生させ、前記再生手段により再生された前記コンテンツを前記出力手段に出力させることを特徴とする請求項１記載の情報処理装置。
【請求項３】
前記ユーザの入力を受け付ける入力受付手段を有し、
前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの視聴の再開を示す再開確認入力が受け付けられたときには、前記記録手段によって記録された前記コンテンツの内容を示す前記データを前記再生手段に再生させ、前記再生手段により再生された前記コンテンツを前記出力手段に出力させることを特徴とする請求項２記載の情報処理装置。
【請求項４】
前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの再開を行わないことを示す再開不実行入力が受け付けられたときには、その時点で前記受信手段によって受信されている前記コンテンツを前記出力手段に出力させることを特徴とする請求項３記載の情報処理装置。
【請求項５】
前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの再開を行わないことを示す再開不実行入力が受け付けられたときには、前記記録手段によって記録された前記コンテンツの内容を示す前記データを前記記録手段に消去させることを特徴とする請求項３記載の情報処理装置。
【請求項６】
コンピュータを、
使用するユーザの切り換えを検出する切換検出手段、
コンテンツを受信する受信手段、
記録手段、
出力手段、
制御手段として機能させ、
前記制御手段は、前記受信手段によって受信されている前記コンテンツが前記出力手段により出力されている場合であって、前記切換検出手段による前記ユーザの切り換えが検出されたときには、前記コンテンツの内容を前記記録手段に記録させることを特徴とする自動記録プログラム。
【請求項７】
コンピュータが放送中のコンテンツを記録する方法であって、
切換検出手段が、使用するユーザの切り換えを検出するステップと、
制御手段が、受信手段によって受信されている前記コンテンツが出力手段により出力されている場合であって、前記切換検出手段による前記ユーザの切り換えが検出されたときには、前記コンテンツの内容を示すデータを記録手段に記録させるステップと、
前記制御手段による制御に基づいて前記記録手段が前記コンテンツの内容を示すデータを記録するステップと、
を有することを特徴とする自動記録方法。
【発明の詳細な説明】
【技術分野】
【０００１】
本発明は、受信した放送コンテンツの内容を記録する情報処理装置、自動記録プログラムおよび自動記録方法に関する。
【背景技術】
【０００２】
従来、複数のユーザで１つのパーソナルコンピュータ（PC:Personal Computer）等の情報処理装置を共有している場合、プライバシーやセキュリティの観点から、マルチユーザによってユーザ毎にデータ等を個別に管理することが行われている。
【０００３】
また近年、情報処理装置の処理能力の向上や普及により、無線によるテレビ（TeleVision）放送やインターネット放送の受信・録画機能等の多機能化が進んでいる。これにより、情報収集手段の集約が図られると共に、使用効率および経済性も向上させることができる。共用される映像表示装置について、以下の技術が知られている。
【先行技術文献】
【特許文献】
【０００４】
【特許文献１】特開２００７−１９４９７４号公報
【発明の概要】
【発明が解決しようとする課題】
【０００５】
しかし、複数のユーザで情報処理装置を共有している場合、ユーザ同士が、共有する情報処理装置をどうしても同時に利用したい、という状態になることがある。例えば、ユーザＡが情報処理装置のテレビ機能によりスポーツ中継等を視聴中（録画するほどではないが、ゲームの今後の展開は気になる等）に、ユーザＢに急用があり、どうしても電子メールのチェックを行いたい等といった場合に、スポーツ中継の視聴が一時的に中断されてしまうことになる。
【０００６】
この場合、ユーザＢにより割り込んで行われる処理が、ログインしているユーザの切り換えを伴わずに作業を行うことが可能であってテレビ機能と並行して実行可能であり、かつ速やかに終了するような場合もあるが、電子メール等の個人的な情報を含むものの場合には、一旦ログアウトしてから異なるユーザでログインし直す「ユーザの切り換え」を行う必要がある場合もある。
【０００７】
ユーザの切り換えが必要な場合、ユーザＡからユーザＢへのユーザの切り換えを行った時に、ユーザＡが使用していたアプリケーションは全て一時中断状態になってしまう。このため、ユーザＡが視聴中だったテレビ放送等について視聴が中断してしまうという問題点がある。
【０００８】
また、このときユーザＡが自分で一旦録画を実行してからユーザ切換を行うにしても、ユーザＡは少しでも早く中断された放送の続きを視聴したいにもかかわらず、例えば、「操作メニューを表示させ→現在の放送を選択して録画し→放送の視聴を中断し、→ユーザの切り換えを実行」等、録画のために煩雑な操作を行うことが求められるという問題点がある。
【０００９】
本件はこのような点に鑑みてなされたものであり、放送されているコンテンツの視聴中にユーザの切り換えを要する処理を実行する場合に、コンテンツの視聴の中断によるユーザの不満を減少させる情報処理装置、自動記録プログラムおよび自動記録方法を提供することを目的とする。
【課題を解決するための手段】
【００１０】
開示の情報処理装置は、使用するユーザの切り換えを検出する切換検出手段と、コンテンツを受信する受信手段と、記録手段と、出力手段と、制御手段とを有し、前記制御手段は、前記受信手段によって受信されている前記コンテンツが前記出力手段により出力されている場合であって、前記切換検出手段による前記ユーザの切り換えが検出されたときには、前記コンテンツの内容を示すデータを前記記録手段に記録させる。
【００１１】
開示の情報処理装置によれば、切換検出手段により、使用するユーザの切り換えが検出される。受信手段により、コンテンツが受信される。制御手段により、受信手段によって受信されているコンテンツが出力手段により出力されている場合であって、切換検出手段によるユーザの切り換えが検出されたときには、コンテンツの内容を示すデータが記録手段に記録される。
【発明の効果】
【００１２】
開示の情報処理装置、自動記録プログラムおよび自動記録方法によれば、放送されているコンテンツの視聴中にユーザを切り換える事情が発生した場合にも、コンテンツの記録を自動的に開始することにより、中断によってユーザがコンテンツを視聴できない時間を減少させることが可能になる。
【図面の簡単な説明】
【００１３】
【図１】本実施の形態の概要を示す図である。
【図２】情報処理装置のハードウェア構成を示す図である。
【図３】第１の実施の形態の情報処理装置の構成を示すブロック図である。
【図４】ユーザ切換処理の手順を示すフローチャートである。
【図５】第１の実施の形態のユーザ復帰処理の手順を示すフローチャートである。
【図６】切換操作画面を示す図である。
【図７】再開確認画面を示す図である。
【図８】第２の実施の形態の情報処理装置の構成を示すブロック図である。
【図９】第２の実施の形態のユーザ復帰処理の手順を示すフローチャートである。
【図１０】第２の実施の形態のユーザ復帰処理の手順を示すフローチャートである。
【図１１】消去確認画面を示す図である。
【発明を実施するための形態】
【００１４】
以下、実施の形態について、図面を参照して説明する。
図１は、本実施の形態の概要を示す図である。図１に示す情報処理装置１は、ユーザの切り換え時に視聴を中断していたコンテンツの内容を記録する。情報処理装置１は、切換検出手段１ａ、制御手段１ｂ、記録手段１ｃ、出力手段１ｄ、受信手段１ｅを有する。また、受信手段１ｅには、アンテナ２や通信回線３が接続されている。
【００１５】
切換検出手段１ａは、使用するユーザの切り換えを検出する。このユーザの切り換えは、例えば、受信中のコンテンツを情報処理装置１によって視聴しているユーザのアカウントについて、ユーザを切り換える操作が行われた場合に、この操作を検出することによって行われる。
【００１６】
制御手段１ｂは、受信手段１ｅによって受信されているコンテンツが出力手段１ｄにより出力されている場合であって、切換検出手段１ａによるユーザの切り換えが検出されたときには、コンテンツの内容を示すデータを記録手段１ｃに記録させる。
【００１７】
記録手段１ｃは、受信手段１ｅによって受信されているコンテンツの内容を示すデータを記録する。記録手段１ｃは、例えば、ＨＤＤ等の大容量記憶装置を有し、これにデータを記録してもよく、情報処理装置１の外部の記憶装置やリムーバブルディスク（Removable Disk）等のあらゆる種類の記憶装置に記録してもよい。
【００１８】
出力手段１ｄは、受信手段１ｅによって受信されているコンテンツを出力する。出力手段１ｄにより、ユーザは現在受信されているコンテンツを視聴することができる。この出力手段１ｄは、情報処理装置１が有する表示手段（図示省略）や音声出力手段（図示省略）としてユーザにコンテンツの内容を直接出力してもよく、情報処理装置１に接続された表示装置（図示省略）や音声出力装置（図示省略）に、コンテンツの内容を信号として出力し、これらの装置を介してユーザに視聴させてもよい。
【００１９】
受信手段１ｅは、例えば、アンテナ２や通信回線３を介してコンテンツを受信する。このコンテンツは、例えば、テレビ放送等、動画および音声を有するものであってもよく、ラジオ放送のように、音声のみであってもよい。また、コンテンツは、動画のみであってもよく、その他の内容であってもよい。コンテンツの放送は、アンテナ２を介して無線通信により受信してもよく、インターネット配信のように通信回線３を介して有線通信により受信してもよい。また、放送以外の方法（例えば、１対１の通信）で受信したコンテンツであってもよい。
【００２０】
このような情報処理装置１によれば、切換検出手段１ａにより、使用するユーザの切り換えが検出される。受信手段１ｅにより、コンテンツが受信される。制御手段１ｂにより、受信手段１ｅによって受信されているコンテンツが出力手段１ｄにより出力されている場合であって、切換検出手段１ａによるユーザの切り換えが検出されたときには、コンテンツの内容を示すデータが記録手段１ｃに記録される。
【００２１】
これによって、放送されているコンテンツの視聴中にユーザを切り換える事情が発生した場合にも、コンテンツの記録が自動的かつ速やかに開始されるので、視聴の中断によるユーザの手間を減らし、および視聴ができないコンテンツの時間を減らすことにより、コンテンツを視聴しているユーザの視聴の中断による不満を軽減することができる。
【００２２】
［第１の実施の形態］
以下、第１の実施の形態について図面を参照して詳細に説明する。
図２は、情報処理装置のハードウェア構成を示す図である。図２に示す情報処理装置１００は、ＣＰＵ（Central Processing Unit）１０１によって装置全体が制御されている。ＣＰＵ１０１には、バス１０９を介してＲＡＭ（Random Access Memory）１０２、ハードディスクドライブ（ＨＤＤ:Hard Disk Drive）１０３、グラフィック処理装置１０４、入出力インタフェース１０５、通信インタフェース１０６、ＣＤ（Compact Disc）／ＤＶＤ（Digital Versatile Disc）ドライブ１０７、ＴＶ受信部１０８が接続されている。
【００２３】
ＲＡＭ１０２には、ＣＰＵ１０１に実行させるＯＳ（Operating System）のプログラムやアプリケーションソフトのプログラム（アプリケーションプログラム）の少なくとも一部が一時的に記憶される。また、ＲＡＭ１０２には、ＣＰＵ１０１による処理に必要な各種データが記憶される。ＨＤＤ１０３には、ＯＳやアプリケーションプログラムが記憶される。
【００２４】
グラフィック処理装置１０４には、モニタ１１が接続されている。グラフィック処理装置１０４は、ＣＰＵ１０１からの命令に従って、画像をモニタ１１の画面に表示させる。
入出力インタフェース１０５には、キーボード１２、マウス１３、スピーカ１４が接続されている。入出力インタフェース１０５は、キーボード１２やマウス１３から送られてくる信号をバス１０９を介してＣＰＵ１０１に送信すると共に、バス１０９を介してＣＰＵ１０１の制御に基づく音声信号をスピーカ１４に出力する。
【００２５】
通信インタフェース１０６は、インターネット３０、図示しないＬＡＮ（Local Area Network）や図示しないケーブルＴＶ等の通信回線に接続可能である。通信インタフェース１０６は、通信回線を介して、他のコンピュータ（図示省略）やネットワークドライブ（図示良略）等の外部機器との間でデータの送受信を行うことができる。また、通信インタフェース１０６により、通信回線を通じて放送されるコンテンツの内容を示す情報が取得される。
【００２６】
ＣＤ／ＤＶＤドライブ１０７は、ＣＤやＤＶＤ等の光磁気ディスクにアクセスしてデータやコンテンツ情報等の情報を読み書きする装置である。
ＴＶ受信部１０８は、チューナ、復調器等を有し、接続されているアンテナ２０で受信した放送電波を取り込むことにより各チャンネルのコンテンツを示す情報を取得する。
【００２７】
以上のようなハードウェア構成によって、本実施の形態の処理機能を実現することができる。
なお、本実施の形態の情報処理装置１００では、パーソナルコンピュータについて説明したが、情報処理装置１００は情報処理装置の一例であり、携帯電話やＰＤＡ（Personal Digital Assistant）を初めとする移動通信用端末装置、情報処理システムの端末装置等のように、各種の情報処理装置に適用することができる。
【００２８】
図３は、第１の実施の形態の情報処理装置の構成を示すブロック図である。図３に示す情報処理装置１００は、ユーザの切り換え時に視聴を中断していたコンテンツの内容を記録する自動記録機能を有する。情報処理装置１００は、切換検出部１１１、制御部１１２、記録部１１３、受信部１１４、再生部１１５、入力受付部１１６、出力部１１７を有する。また、受信部１１４には、アンテナ２０、インターネット３０が接続されている。
【００２９】
切換検出部１１１は、例えば、ユーザによる入力受付部１１６の操作を監視して、使用するユーザの切り換えを検出する。このユーザの切り換えは、例えば、放送中のコンテンツを情報処理装置１００によって視聴しているユーザのアカウントについて、ユーザを切り換える操作が行われた場合に、この操作を検出することによって行われる。なお、コンテンツは放送中のものに限らず、１対１で送受信されているものであってもよく、さらにその他の通信により取得するコンテンツであってもよい。
【００３０】
制御部１１２は、受信部１１４によって受信されている放送中のコンテンツが出力部１１７により出力されている場合において、切換検出部１１１によるユーザの切り換えが検出されたときには、コンテンツの内容を示すデータを記録部１１３に記録させる。
【００３１】
制御部１１２は、切換検出部１１１によるユーザの切り換えに基づく記録部１１３によってコンテンツの内容を示すデータが記録されており、かつ切換検出部１１１によりコンテンツを視聴していたユーザに切り換えられるユーザの切り換えが検出された場合において、入力受付部１１６によりユーザによるコンテンツの視聴の再開を示す再開確認入力が受け付けられたときには、記録部１１３によって記録されたコンテンツの内容を示すデータを再生部１１５に再生させる。また、制御部１１２は、再生部１１５により再生されたこのコンテンツを出力部１１７に出力させる。
【００３２】
一方、制御部１１２は、切換検出部１１１によるユーザの切り換えに基づく記録部１１３によってコンテンツの内容を示すデータが記録されており、かつ切換検出部１１１によりコンテンツを視聴していたユーザに切り換えられるユーザの切り換えが検出された場合において、入力受付部１１６によりユーザによるコンテンツの再開を行わないことを示す再開不実行入力が受け付けられたときには、その時点で受信部１１４によって受信されている放送中のコンテンツを出力部１１７に出力させると共に、記録部１１３によって記録されたコンテンツの内容を示すデータを記録部１１３に消去させる。
【００３３】
記録部１１３は、制御部１１２による制御に基づいて、受信部１１４によって受信されている放送中のコンテンツの内容を示すデータを記録し、記録したデータを消去する。記録部１１３は、例えば、図２において前述したＨＤＤ１０３等の大容量記憶装置を有し、これにデータを記録してもよく、情報処理装置１００に接続されたネットワークドライブ（図示省略）等の外部の記憶装置や図２において前述したＣＤ／ＤＶＤドライブ１０７のようなリムーバブルディスク（Removable Disk）等のあらゆる種類の記憶装置に記録してもよい。
【００３４】
なお、記録部１１３は、主にテレビ放送、すなわち動画および音声をデジタル信号として配信されたデータをデータとして記録するものとするが、これに限らず、配信されたアナログ信号をデジタル信号に変換してデータとして記録してもよい。また、記録部１１３は、配信されたデジタル信号またはアナログ信号に基づくアナログ信号をデータとして記録してもよい。
【００３５】
受信部１１４は、放送中のコンテンツを受信する。本実施の形態では、コンテンツとして主にデジタルテレビ放送、すなわち動画および音声がデジタル信号により配信されるものとするが、これに限らず、例えば、アナログ信号で配信されるものであってもよい。また、コンテンツは、ラジオ放送のように、音声のみであってもよい。また、コンテンツは、動画のみであってもよく、その他の内容であってもよい。コンテンツの放送は、アンテナ２０を介して無線通信により受信してもよく、インターネット配信のようにインターネット３０等の通信回線を介して有線通信により受信してもよい。図２において前述した通信インタフェース１０６およびＴＶ受信部１０８は、受信部１１４として機能する。
【００３６】
再生部１１５は、制御部１１２による制御に基づいて、記録部１１３によって記録されたデータを再生する。これにより、ユーザは、視聴を中断したコンテンツについて、ユーザの復帰後に、記録された箇所から継続して再び視聴することができる。
【００３７】
入力受付部１１６は、ユーザによる入力操作を受け付ける入力装置である。入力受付部１１６は、ユーザ切換操作、再開確認入力、再開不実行入力等の情報処理装置１００に対する操作の入力を受け付ける。なお、入力受付部１１６は、例えば、キーボード１２（図２において前述）、マウス１３（図２において前述）、押しボタン（図示省略）、タッチパネル（図示省略）等を用いることができる。
【００３８】
出力部１１７は、受信部１１４によって受信されている放送中のコンテンツや、再生部１１５によって再生されたコンテンツを出力する。出力部１１７により、ユーザは現在放送されているコンテンツや視聴が中断され記録されたコンテンツを視聴することができる。この出力部１１７は、情報処理装置１００に接続されたモニタ１１やスピーカ１４に、コンテンツの内容を信号として出力し、これらの装置を介してユーザに視聴させるが、これに限らず、情報処理装置１００が表示手段（図示省略）や音声出力手段（図示省略）を有するものとして、これらの手段によりユーザにコンテンツの内容を直接出力して視聴させてもよい。
【００３９】
次に、本実施の形態で実行される処理について説明する。
図４は、ユーザ切換処理の手順を示すフローチャートである。図４に示すユーザ切換処理は、情報処理装置１００（図２において前述）によりコンテンツが視聴されている場合においてユーザの切り換えが発生したときにコンテンツの記録を開始する処理であり、切換検出部１１１（図３において前述）がユーザの切り換えを検出した場合に実行が開始される。
【００４０】
［ステップＳ１１］制御部１１２（図３において前述）は、切換検出部１１１が検出したユーザの切り換えを実行する。
［ステップＳ１２］記録部１１３（図３において前述）は、視聴されていたコンテンツを受信部１１４（図３において前述）から継続して受信し続け、ＨＤＤ１０３（図２において前述）、ＣＤ／ＤＶＤドライブ１０７（図２において前述）、図示しないネットワークドライブ等の記録装置に記録する。
【００４１】
［ステップＳ１３］制御部１１２は、記録中のコンテンツが終了したか否かを判定する。コンテンツが終了していれば、処理はステップＳ１４に進められる。一方、コンテンツが終了していなければ、ステップＳ１３の処理が繰り返される。
【００４２】
［ステップＳ１４］記録部１１３は、コンテンツの記録を停止する。その後、処理は終了する。
図５は、第１の実施の形態のユーザ復帰処理の手順を示すフローチャートである。図５に示すユーザ復帰処理は、情報処理装置１００（図２において前述）においてユーザの切り換えが発生してユーザ切換処理（図４において前述）が実行された後、再度ユーザの切り換えが発生してコンテンツを視聴していたユーザに切り換えられた場合に視聴の再開またはデータの消去が行われる処理であり、切換検出部１１１（図３において前述）がコンテンツを視聴していたユーザに切り換えられる再度のユーザの切り換えを検出した場合に実行が開始される。
【００４３】
［ステップＳ２１］制御部１１２（図３において前述）は、切換検出部１１１が検出した再度のユーザの切り換えを実行する。
［ステップＳ２２］出力部１１７（図３において前述）は、再開確認画面により、最初の切り換え前に視聴されており、切り換えにより視聴が中断されたコンテンツがあることを通知するメッセージを表示する。再開確認画面については、詳しくは図７において後述する。
【００４４】
［ステップＳ２３］制御部１１２は、入力受付部１１６によって受け付けられたユーザの入力が、コンテンツの視聴を再開する旨を示す再開確認入力であるか否かについて判定する。再開確認入力であれば、処理はステップＳ２４に進められる。一方、視聴を再開しない旨を示す再開不実行入力であれば、処理はステップＳ２５に進められる。
【００４５】
［ステップＳ２４］再生部１１５（図３において前述）は、記録部１１３によって記録装置に記録されたコンテンツのデータを再生する。これに基づいて、出力部１１７（図３において前述）は、モニタ１１（図２において前述）やスピーカ１４（図２において前述）により、再生部１１５によって再生されたコンテンツを出力させる。その後、処理を終了する。
【００４６】
［ステップＳ２５］記録部１１３は、視聴が中断されたコンテンツのデータを消去する。
［ステップＳ２６］出力部１１７は、モニタ１１やスピーカ１４に、受信部１１４によって受信されている現在放送中のコンテンツの内容を出力させる。これにより、ユーザは、視聴が中断されたコンテンツについて、中断された時点からでなく、現在最新の時点から視聴することもできる。その後、処理を終了する。
【００４７】
次に、本実施の形態で表示される表示画面について説明する。
図６は、切換操作画面を示す図である。図６に示す切換操作画面１５１は、情報処理装置１００（図２において前述）のモニタ１１（図２において前述）に表示される画面であり、情報処理装置１００が有する自動記録機能により、コンテンツの表示画面上に切換操作ウインドウ１５１ａが重ねて表示される切換操作画面の一例である。
【００４８】
切換操作画面１５１は、ユーザ（例えば、ユーザＡとする）が、放送中のコンテンツの視聴している場合に、他のユーザ（例えば、ユーザＢとする）が自己のユーザアカウントで情報処理装置１００を一時的に使用したいときに、情報処理装置１００にログインしているユーザのアカウントをユーザＡからユーザＢに切り換える操作を行ったり、ユーザＢによる情報処理装置１００の使用が終了して、放送中のコンテンツを視聴していたユーザＡが視聴していたコンテンツを表示させるために、情報処理装置１００にログインしているユーザのアカウントをユーザＢからユーザＡに切り換える操作を行ったりする画面であり、切換操作ウインドウ１５１ａを有する。
【００４９】
図６に示した例は、コンテンツを視聴しているユーザＡから、電子メールのチェック等のために情報処理装置１００を一時的に使用するユーザＢに切り換えるとき（図４のステップＳ１１を参照）の画面であり、コンテンツの表示画面上に切換操作ウインドウ１５１ａが重ねて表示されている。一時的な使用が終了したユーザＢからコンテンツを視聴していたユーザＡに切り換えるとき（図５のステップＳ２１を参照）の画面では、デスクトップ画面上に切換操作ウインドウ１５１ａと同様の切換操作ウインドウ（図示省略）が表示される。なお、これに限らず、切換操作画面は必要に応じて、例えば、視聴中のコンテンツの記録開始（図４のステップＳ１２参照）の後等、異なるタイミングで表示することができる。
【００５０】
切換操作ウインドウ１５１ａは、切り換え先であるユーザの入力を要求するメッセージを有すると共に、切り換え先のユーザを選択入力するユーザ選択欄１５１ａ１、選択したユーザに切り換えるか否かを入力する切換ボタン１５１ａ２、キャンセルボタン１５１ａ３を有する。切換操作ウインドウ１５１ａにより、ユーザは、情報処理装置１００を現在使用しているユーザから切り換えられる他のユーザを選択入力することができる。情報処理装置１００は、ユーザによる操作に基づいて、ログインしているユーザを切換操作ウインドウ１５１ａで選択入力されたユーザに切り換える。
【００５１】
図７は、再開確認画面を示す図である。図７に示す再開確認画面１６１は、情報処理装置１００（図２において前述）のモニタ１１（図２において前述）に表示される画面であり、情報処理装置１００が有する自動記録機能により、デスクトップ画面上に再開確認ウインドウ１６１ａが表示される再開確認画面の一例である。
【００５２】
再開確認画面１６１は、再度の切り換えによって中断したコンテンツを視聴していたユーザに復帰した場合において、コンテンツの視聴の再開が可能であることを通知すると共に、再開するか否かを確認する画面であり、再開確認ウインドウ１６１ａを有する。
【００５３】
再開確認ウインドウ１６１ａは、視聴が中断されたコンテンツのデータを再生することにより視聴の再開が可能であることを通知するメッセージを有すると共に、再開するか否かを確認するはいボタン１６１ａ１、いいえボタン１６１ａ２を有する。再開確認ウインドウ１６１ａにより、ユーザは、ユーザの切り換えにより視聴が中断された再開可能なコンテンツがあることを認識できると共に、そのコンテンツのデータを再生して視聴を再開するか否かを選択することができる。
【００５４】
はいボタン１６１ａ１は、視聴が中断されたコンテンツのデータを再生して視聴を再開する旨を示す再開確認入力を入力するボタンである。いいえボタン１６１ａ２は、視聴が中断されたコンテンツの視聴を行わず、データを消去する旨を示す再開不実行入力を入力するボタンである。ユーザは、再開確認ウインドウ１６１ａを見た後、例えばマウス１３等ではいボタン１６１ａ１またはいいえボタン１６１ａ２を操作することにより、コンテンツの視聴を再開するか否かを入力することができる。
【００５５】
以上のように、第１の実施の形態によれば、放送されているコンテンツの視聴中にユーザを切り換える事情が発生した場合にも、コンテンツの記録が自動的かつ速やかに開始されるので、視聴の中断によるユーザの手間を減らすと共に、視聴ができないコンテンツの時間を減らすことができるので、コンテンツを視聴しているユーザの視聴の中断による不満を軽減することができる。
【００５６】
［第２の実施の形態］
次に、第２の実施の形態について説明する。上記の第１の実施の形態との相違点を中心に説明し、同様の事項については同一の符号を用いると共に説明を省略する。
【００５７】
第２の実施の形態は、コンテンツの視聴が中断されたユーザが、コンテンツの視聴の再開を行わなかった場合に、そのコンテンツのデータを保存することを選択可能である点で、第１の実施の形態と異なる。
【００５８】
図８は、第２の実施の形態の情報処理装置の構成を示すブロック図である。図８に示す情報処理装置２００は、第一の実施の形態と同様、ユーザの切り換え時に視聴を中断していたコンテンツの内容を記録する自動記録機能を有する。情報処理装置２００は、切換検出部１１１、制御部２１２、記録部２１３、受信部１１４、再生部１１５、入力受付部２１６、出力部２１７を有する。また、受信部１１４には、アンテナ２０、インターネット３０が接続されている。
【００５９】
切換検出部１１１は、第１の実施の形態と同様、例えば、ユーザによる入力受付部２１６の操作を監視して、使用するユーザの切り換えを検出する。
制御部２１２は、受信部１１４によって受信されている放送中のコンテンツが出力部２１７により出力されている場合において、切換検出部１１１によるユーザの切り換えが検出されたときには、コンテンツの内容を示すデータを記録部２１３に記録させる。
【００６０】
制御部２１２は、切換検出部１１１によるユーザの切り換えに基づく記録部２１３によってコンテンツの内容を示すデータが記録されており、かつ切換検出部１１１によりコンテンツを視聴していたユーザに切り換えられるユーザの切り換えが検出された場合において、入力受付部２１６によりユーザによるコンテンツの視聴の再開を示す再開確認入力が受け付けられたときには、記録部２１３によって記録されたコンテンツの内容を示すデータを再生部１１５に再生させる。また、制御部２１２は、再生部１１５により再生されたこのコンテンツを出力部２１７に出力させる。
【００６１】
ここで、制御部２１２は、切換検出部１１１によるユーザの切り換えに基づく記録部２１３によってコンテンツの内容を示すデータが記録されており、かつ切換検出部１１１によりコンテンツを視聴していたユーザに切り換えられるユーザの切り換えが検出された場合において、入力受付部２１６によりユーザによるコンテンツの再開を行わないことを示す再開不実行入力が受け付けられ、かつコンテンツの内容を示すデータの消去を行うことを示す消去確認入力が受け付けられたときには、記録部２１３によって記録されたコンテンツの内容を示すデータを記録部２１３に消去させる。
【００６２】
一方、制御部２１２は、入力受付部２１６によりユーザによるコンテンツの再開を行わないことを示す再開不実行入力が受け付けられ、かつコンテンツの内容を示すデータの消去を行わずに保存しておくことを示す保存確認入力が受け付けられたときには、記録部２１３によって記録されたコンテンツの内容を示すデータを記録部２１３に消去させずに保存しておく。これにより、ユーザは視聴が中断されたコンテンツを後ほど自由なタイミングで視聴することができる。
【００６３】
記録部２１３は、制御部２１２による制御に基づいて、受信部１１４によって受信されている放送中のコンテンツの内容を示すデータを記録する。また、記録部２１３は、制御部２１２による制御に基づいて、記録したデータを消去する。また、記録部２１３は、制御部２１２による制御に基づいて、記録したデータを消去しない（保存する）。
【００６４】
受信部１１４は、第１の実施の形態と同様、放送中のコンテンツを受信する。コンテンツの放送は、アンテナ２０を介して無線通信により受信してもよく、インターネット配信のようにインターネット３０等の通信回線を介して有線通信により受信してもよい。
【００６５】
再生部１１５は、第１の実施の形態と同様、制御部２１２による制御に基づいて、記録部２１３によって記録されたデータを再生する。これにより、ユーザは、視聴を中断したコンテンツについて、ユーザの復帰後に、記録された箇所から継続して再び視聴することができると共に、記録されたデータを削除せずに保存しておき、後ほど別の機会に視聴することもできる。
【００６６】
入力受付部２１６は、第１の実施の形態の入力受付部１１６と同様、ユーザによる入力操作を受け付ける入力装置である。入力受付部２１６は、ユーザ切換操作、再開確認入力、再開不実行入力、消去確認入力、保存確認入力等の情報処理装置２００に対する操作の入力を受け付ける。
【００６７】
出力部２１７は、第１の実施の形態の出力部１１７と同様、受信部１１４によって受信されている放送中のコンテンツや再生部１１５によって再生されたコンテンツを出力する。出力部２１７により、ユーザは現在放送されているコンテンツや視聴が中断され記録されたコンテンツを視聴することができる。
【００６８】
図９および図１０は、第２の実施の形態のユーザ復帰処理の手順を示すフローチャートである。図９および図１０に示すユーザ復帰処理は、情報処理装置２００（図８において前述）において第１の実施の形態と同様、ユーザの切り換えが発生してユーザ復帰処理（図４において前述）が実行された後、再度ユーザの切り換えが発生してコンテンツを視聴していたユーザに切り換えられた場合に視聴の再開、データの消去または保存が行われる処理であり、切換検出部１１１（図８において前述）がコンテンツを視聴していたユーザに切り換えられる再度のユーザの切り換えを検出した場合に実行が開始される。
【００６９】
［ステップＳ３１］制御部２１２（図８において前述）は、切換検出部１１１が検出した再度のユーザの切り換えを実行する。
［ステップＳ３２］出力部２１７（図８において前述）は、図７において前述した再開確認画面により、最初の切り換え前に視聴されており、切り換えにより視聴が中断されたコンテンツがあることを通知するメッセージを表示する。
【００７０】
［ステップＳ３３］制御部２１２は、入力受付部２１６によって受け付けられたユーザの入力が、コンテンツの視聴を再開する旨の再開確認入力であるか否かについて判定する。再開確認入力であれば、処理はステップＳ３４に進められる。一方、視聴を再開しない旨の再開不実行入力であれば、処理はステップＳ４１（図１０）に進められる。
【００７１】
［ステップＳ３４］再生部１１５（図８において前述）は、記録部２１３によって記録装置に記録されたコンテンツのデータを再生する。これに基づいて、出力部２１７（図８において前述）は、モニタ１１（図８において前述）やスピーカ１４（図８において前述）により、再生部１１５によって再生されたコンテンツを出力させる。その後、処理を終了する。
【００７２】
［ステップＳ４１］出力部２１７は、消去確認画面により、切り換えにより視聴が中断されたコンテンツのデータの消去の確認を通知するメッセージを表示する。消去確認画面については、詳しくは図１１において後述する。
【００７３】
［ステップＳ４２］制御部２１２は、入力受付部２１６によって受け付けられたユーザの入力が、コンテンツのデータを消去する旨を示す消去確認入力であるか否かについて判定する。消去確認入力であれば、処理はステップＳ４３に進められる。一方、データを消去せず保存しておく旨を示す保存確認入力であれば、ステップＳ４３によるデータの消去は行われずに、処理はステップＳ４４に進められる。これにより、ユーザは視聴が中断されたコンテンツのデータを消去せずに保存しておき、後で視聴することができる。
【００７４】
この保存されたデータは、通常のように記録されたコンテンツと同様に、例えば、モニタ１１に表示された録画番組一覧（図示省略）から選択して再生することができる。
［ステップＳ４３］記録部２１３は、視聴が中断されたコンテンツのデータを消去する。
【００７５】
［ステップＳ４４］出力部２１７は、モニタ１１やスピーカ１４に、受信部１１４によって受信されている現在放送中のコンテンツの内容を出力させる。これにより、ユーザは、視聴が中断されたコンテンツについて、中断された時点からでなく、現在最新の時点から視聴することもできる。その後、処理を終了する。
【００７６】
次に、本実施の形態で表示される表示画面について説明する。
図１１は、消去確認画面を示す図である。図１１に示す消去確認画面１６２は、情報処理装置２００（図８において前述）のモニタ１１（図８において前述）のデスクトップ画面に表示される画面であり、情報処理装置２００が有する自動記録機能により、デスクトップ画面上に消去確認ウインドウ１６２ａが表示される消去確認画面の一例である。
【００７７】
消去確認画面１６２は、視聴が中断されたコンテンツについて視聴しない旨が選択された場合に、中断されたコンテンツのデータの消去の確認を通知すると共に、消去するか否かを確認する画面であり、消去確認ウインドウ１６２ａを有する。
【００７８】
消去確認ウインドウ１６２ａは、視聴が中断されたコンテンツのデータの消去の確認を通知するメッセージを有すると共に、消去するか否かを確認するはいボタン１６２ａ１、いいえボタン１６２ａ２を有する。消去確認ウインドウ１６２ａにより、ユーザは、視聴が中断されたコンテンツのデータを消去するか否かを選択することができる。
【００７９】
はいボタン１６２ａ１は、視聴が中断されたコンテンツのデータを消去する旨を示す消去確認入力を入力するボタンである。いいえボタン１６２ａ２は、視聴が中断されたコンテンツのデータを消去せず、データを保存しておく旨を示す保存確認入力を入力するボタンである。ユーザは、消去確認ウインドウ１６２ａを見た後、例えばマウス１３等ではいボタン１６２ａ１またはいいえボタン１６２ａ２を操作することにより、コンテンツのデータを消去するか否かを入力することができる。
【００８０】
以上のように、第２の実施の形態によれば、第１の実施の形態に加えて、コンテンツの視聴が中断されたユーザは、中断されたコンテンツを直ちに視聴しないでコンテンツのデータを消去せずに保存しておき後で視聴することを選択できる。
【００８１】
なお、上記の処理機能は、コンピュータによって実現することができる。その場合、情報処理装置１００が有すべき機能の処理内容を記述したプログラムが提供される。そのプログラムをコンピュータで実行することにより、上記処理機能がコンピュータ上で実現される。
【００８２】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ、ＤＶＤ−ＲＡＭ、ＣＤ−ＲＯＭ（Read Only Memory）、ＣＤ−Ｒ（Recordable）／ＲＷ（ReWritable）等がある。光磁気記録媒体には、ＭＯ（Magneto - Optical disk）等がある。
【００８３】
上記プログラムを流通させる場合には、例えば、そのプログラムが記録されたＤＶＤ、ＣＤ−ＲＯＭ等の可搬型記録媒体が販売される。また、プログラムをサーバコンピュータに記憶しておき、ネットワークを通じて、サーバコンピュータから他のコンピュータにそのプログラムを転送することもできる。
【００８４】
上記プログラムを実行するコンピュータは、例えば、可搬型記録媒体に記録されたプログラムまたはサーバコンピュータから転送されたプログラムを、自己の記憶装置に記憶する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００８５】
以上、開示の情報処理装置、自動記録プログラムおよび自動記録方法を、図示の実施の形態に基づいて説明したが、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。
【００８６】
上記については単に本発明の原理を示すものである。さらに、多数の変形、変更が当業者にとって可能であり、開示の技術は上記に示し、説明した正確な構成および応用例に限定されるものではなく、対応するすべての変形例および均等物は、添付の請求項およびその均等物による本発明の範囲とみなされる。
【００８７】
（付記１）  使用するユーザの切り換えを検出する切換検出手段と、
コンテンツを受信する受信手段と、
記録手段と、
出力手段と、
制御手段とを有し、
前記制御手段は、前記受信手段によって受信されている前記コンテンツが前記出力手段により出力されている場合であって、前記切換検出手段による前記ユーザの切り換えが検出されたときには、前記コンテンツの内容を示すデータを前記記録手段に記録させることを特徴とする情報処理装置。
【００８８】
（付記２）  前記制御手段は、前記切換検出手段による前記ユーザの切り換えに基づく前記記録手段によって前記コンテンツの内容を示す前記データが記録されている場合であって、前記切換検出手段により前記コンテンツを視聴していた前記ユーザに切り換えられる前記ユーザの切り換えが検出されたときには、前記記録手段によって記録された前記コンテンツの内容を示す前記データを再生手段に再生させ、前記再生手段により再生された前記コンテンツを前記出力手段に出力させることを特徴とする付記１記載の情報処理装置。
【００８９】
（付記３）  前記ユーザの入力を受け付ける入力受付手段を有し、
前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの視聴の再開を示す再開確認入力が受け付けられたときには、前記記録手段によって記録された前記コンテンツの内容を示す前記データを前記再生手段に再生させ、前記再生手段により再生された前記コンテンツを前記出力手段に出力させることを特徴とする付記２記載の情報処理装置。
【００９０】
（付記４）  前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの再開を行わないことを示す再開不実行入力が受け付けられたときには、その時点で前記受信手段によって受信されている前記コンテンツを前記出力手段に出力させることを特徴とする付記３記載の情報処理装置。
【００９１】
（付記５）  前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの再開を行わないことを示す再開不実行入力が受け付けられたときには、前記記録手段によって記録された前記コンテンツの内容を示す前記データを前記記録手段に消去させることを特徴とする付記３記載の情報処理装置。
【００９２】
（付記６）  前記制御手段は、前記切換検出手段による前記ユーザの切り換えに基づく前記記録手段によって前記コンテンツの内容を示す前記データが記録されており、かつ前記切換検出手段により前記コンテンツを視聴していた前記ユーザに切り換えられる前記ユーザの切り換えが検出された場合であって、前記入力受付手段により前記ユーザによる前記コンテンツの再開を行わないことを示す再開不実行入力が受け付けられ、かつ前記コンテンツの内容を示す前記データの消去を行うことを示す消去確認入力が受け付けられたときには、前記記録手段によって記録された前記コンテンツの内容を示す前記データを前記記録手段に消去させる一方、前記入力受付手段により前記ユーザによる前記再開不実行入力が受け付けられ、かつ前記コンテンツの内容を示す前記データの消去を行わないことを示す保存確認入力が受け付けられたときには、前記記録手段によって記録された前記コンテンツの内容を示す前記データを前記記録手段に消去させないことを特徴とする付記５記載の情報処理装置。
【００９３】
（付記７）  コンピュータを、
使用するユーザの切り換えを検出する切換検出手段、
コンテンツを受信する受信手段、
記録手段、
出力手段、
制御手段として機能させ、
前記制御手段は、前記受信手段によって受信されている前記コンテンツが前記出力手段により出力されている場合であって、前記切換検出手段による前記ユーザの切り換えが検出されたときには、前記コンテンツの内容を前記記録手段に記録させることを特徴とする自動記録プログラム。
【００９４】
（付記８）  コンピュータが放送中のコンテンツを記録する方法であって、
切換検出手段が、使用するユーザの切り換えを検出するステップと、
制御手段が、受信手段によって受信されている前記コンテンツが出力手段により出力されている場合であって、前記切換検出手段による前記ユーザの切り換えが検出されたときには、前記コンテンツの内容を示すデータを記録手段に記録させるステップと、
前記制御手段による制御に基づいて前記記録手段が前記コンテンツの内容を示すデータを記録するステップと、
を有することを特徴とする自動記録方法。
【符号の説明】
【００９５】
１  情報処理装置
１ａ  切換検出手段
１ｂ  制御手段
１ｃ  記録手段
１ｄ  出力手段
１ｅ  受信手段
２  アンテナ
３  通信回線
【図１】
2010233177.tif 000003
【図２】
2010233177.tif 000004
【図３】
2010233177.tif 000005
【図４】
2010233177.tif 000006
【図５】
2010233177.tif 000007
【図６】
2010233177.tif 000008
【図７】
2010233177.tif 000009
【図８】
2010233177.tif 000010
【図９】
2010233177.tif 000011
【図１０】
2010233177.tif 000012
【図１１】
2010233177.tif 000013